(57)【要約】【課題】非ＩＰ端末をＩＰネットワーク網に収容した時に、ＲＰＲ伝送装置とＳＤＨ伝送装置との間の光伝送路が１箇所だけで接続可能にできるディジタル伝送システムを提供する。【解決手段】ＲＰＲネットワーク伝送路２にループ状に接続された各ＲＰＲ伝送装置１Ａ、Ｂと、網同期クロック供給装置８と、各ＲＰＲ伝送装置１Ａ、Ｂに対向するように接続された第１、第２の伝送路５００Ａ、Ｂと、これら伝送路のＲＰＲ伝送装置にそれぞれ順次接続されたレガシー収容Ｉ／Ｆ部３Ａ、Ｂ、ＳＤＨ伝送装置４Ａ、Ｂ、非ＩＰ端末７Ａ、Ｂとを備え、網同期クロック供給装置８は、第１および第２の伝送路５００Ａ、ＢとＲＰＲネットワーク伝送路２とを同期させ、レガシー収容Ｉ／Ｆ部３Ａ、Ｂは時分割多重データパケット化回路を有し、非ＩＰ端末７Ａ、Ｂから時分割多重データパケット化回路でＭＡＣフレーム化される。【選択図】図１
2007267291.tif 000002
【特許請求の範囲】
【請求項１】
ＲＰＲネットワーク伝送路と、上記ＲＰＲネットワーク伝送路にループ状に接続された複数のＲＰＲ伝送装置と、上記ＲＰＲネットワーク伝送路に接続された網同期クロック供給装置と、上記複数のＲＰＲ伝送装置に対向するように接続された第１および第２の伝送路と、上記第１および第２の伝送路の上記ＲＰＲ伝送装置にそれぞれ接続されレガシー収容Ｉ／Ｆ部と、上記各レガシー収容Ｉ／Ｆ部にそれぞれ接続されたＳＤＨ伝送装置と、上記各ＳＤＨ伝送装置にそれぞれ接続された非ＩＰ端末とを備え、
上記網同期クロック供給装置は、上記第１および第２の伝送路と上記ＲＰＲネットワーク伝送路とを同期させ、上記レガシー収容Ｉ／Ｆ部は時分割多重データパケット化回路を有し、上記非ＩＰ端末からの通信が上記時分割多重データパケット化回路でＭＡＣフレーム化されることを特徴とするディジタル伝送システム。
【請求項２】
上記第１の伝送路または上記第２の伝送路の少なくともいずれか一方は、上記ＲＰＲ伝送装置に対して上記レガシー収容Ｉ／Ｆ部が２重化接続されているとともに、当該２重化された上記レガシー収容Ｉ／Ｆ部はＶＬＡＮタグを付加してＭＡＣフレームを生成するＩＰヘッダ／ＭＡＣヘッダ生成部を備えたことを特徴とする請求項１に記載のディジタル伝送システム。
【請求項３】
上記レガシー収容Ｉ／Ｆ部は、シーケンス番号生成部およびシーケンス番号チェック部が設けられ、上記ＩＰヘッダ／ＭＡＣヘッダ生成部はシーケンス番号を付加してＭＡＣフレームを生成するとともに、受信側ではシーケンス番号をチェックし、ＭＡＣフレームに抜けがないことを確認することを特徴とする請求項２に記載のディジタル伝送システム。
【請求項４】
上記レガシー収容Ｉ／Ｆ部の時分割多重データパケット化回路は、ＳＤＨフレームを１フレームにて伝送することを特徴とする請求項１ないし請求項３のいずれかに記載のディジタル伝送システム。
【請求項５】
上記第１の伝送路または上記第２の伝送路の少なくともいずれか一方は、上記ＰＲＰネットワーク伝送路に対して上記ＳＤＨ伝送装置が２重化接続されていることを特徴とする請求項１または請求項２に記載のディジタル伝送システム。
【発明の詳細な説明】
【技術分野】
【０００１】
この発明は、ＩＰネットワーク網であるＲＰＲネットワークに関するもので、特にＳＤＨｏｖｅｒＩＰ方式により、ＳＤＨ端末をＲＰＲネットワークに収容することで、ＲＰＲネットワークに非ＩＰ端末を収容可能とするディジタル伝送システムに係るものである。
【背景技術】
【０００２】
従来のＳＤＨｏｖｅｒＩＰ装置においては、ＲＰＲ伝送装置とＳＤＨ伝送装置との間には拡張Ｉ／Ｆ部を必要とし、ＲＰＲ伝送装置と拡張Ｉ／Ｆ部との間、拡張Ｉ／Ｆ部とＳＤＨ伝送装置との間の２箇所に光伝送路を設ける必要が有った（例えば、特許文献１参照）。
【０００３】
【特許文献１】特開２００５−１５９７０１号公報
【発明の開示】
【発明が解決しようとする課題】
【０００４】
従来のＳＤＨｏｖｅｒＩＰ装置は以上のように構成されているので、ＲＰＲ伝送装置とＳＤＨ伝送装置との間に拡張Ｉ／Ｆ部を必要とし、ＲＰＲ伝送装置と拡張Ｉ／Ｆ部との間、拡張Ｉ／Ｆ部とＳＤＨ伝送装置との間の２箇所に光伝送路を必要とする。そのため、各装置においては高価な光送受信器を必要とするという問題点があった。
【０００５】
この発明は上記のような課題を解決するためになされたものであり、非ＩＰ端末をＩＰネットワーク網に収容した時に、ＲＰＲ伝送装置とＳＤＨ伝送装置との間の光伝送路が１箇所だけでＲＰＲ伝送装置とＳＤＨ伝送装置との間を接続可能にすることができるディジタル伝送システムを提供することを目的とする。
【課題を解決するための手段】
【０００６】
この発明は、ＲＰＲネットワーク伝送路と、ＲＰＲネットワーク伝送路にループ状に接続された複数のＲＰＲ伝送装置と、ＲＰＲネットワーク伝送路に接続された網同期クロック供給装置と、複数のＲＰＲ伝送装置に対向するように接続された第１および第２の伝送路と、第１および第２の伝送路のＲＰＲ伝送装置にそれぞれ接続されレガシー収容Ｉ／Ｆ部と、各レガシー収容Ｉ／Ｆ部にそれぞれ接続されたＳＤＨ伝送装置と、各ＳＤＨ伝送装置にそれぞれ接続された非ＩＰ端末とを備え、
網同期クロック供給装置は、第１および第２の伝送路とＲＰＲネットワーク伝送路とを同期させ、レガシー収容Ｉ／Ｆ部は時分割多重データパケット化回路を有し、非ＩＰ端末からの通信が時分割多重データパケット化回路でＭＡＣフレーム化されるものである。
【発明の効果】
【０００７】
この発明のディジタル伝送システムは、ＲＰＲネットワーク伝送路と、ＲＰＲネットワーク伝送路にループ状に接続された複数のＲＰＲ伝送装置と、ＲＰＲネットワーク伝送路に接続された網同期クロック供給装置と、複数のＲＰＲ伝送装置に対向するように接続された第１および第２の伝送路と、第１および第２の伝送路のＲＰＲ伝送装置にそれぞれ接続されレガシー収容Ｉ／Ｆ部と、各レガシー収容Ｉ／Ｆ部にそれぞれ接続されたＳＤＨ伝送装置と、各ＳＤＨ伝送装置にそれぞれ接続された非ＩＰ端末とを備え、
網同期クロック供給装置は、第１および第２の伝送路とＲＰＲネットワーク伝送路とを同期させ、レガシー収容Ｉ／Ｆ部は時分割多重データパケット化回路を有し、非ＩＰ端末からの通信が時分割多重データパケット化回路でＭＡＣフレーム化されるので、ＲＰＲ伝送装置とＳＤＨ伝送装置との間の光伝送路が１箇所だけでＲＰＲ伝送装置とＳＤＨ伝送装置との間を接続可能にすることができる。
【発明を実施するための最良の形態】
【０００８】
実施の形態１．
以下、本願発明の実施の形態について説明する。図１はこの発明の実施の形態１におけるディジタル伝送システムの構成を示す図、図２は図１に示したディジタル伝送システムの第２の伝送路に設けられているレガシー収容Ｉ／Ｆ部の詳細な構成を示すブロック図である。尚、他方のレガシー収容Ｉ／Ｆ部も同一の構成を有しているため図示は省略する。図３は図１に示したディジタル伝送システムにおけるＭＡＣフレームのフレーム構造を示す図、図４は図１に示したディジタル伝送システムにおける時分割多重データの例を示したＳＴＭ−１ＳＤＨフレームの構成を示す図、図５は図１に示したディジタル伝送システムにおけるＲＰＲ伝送装置の詳細な構成を示したブロック図である。尚、他のＲＰＲ伝送装置も同様な構造であるため図示は省略する。
【０００９】
図１において、ディジタル伝送システム１０００のシステムは、複数の、例えば３台のＲＰＲ伝送装置１Ａ、１Ｂ、１ＣがＲＰＲネットワーク伝送路２Ａによってループ状に接続され、ＲＰＲ伝送装置１Ｃに網同期クロック供給装置８が設けられたＲＰＲネットワーク伝送路２と、ＲＰＲ伝送装置１Ａに接続された第１の伝送路５００Ａと、ＲＰＲ伝送装置１Ｂに接続された第２の伝送路５００Ｂとを備えている。第１の伝送路５００Ａはレガシー収容Ｉ／Ｆ部３ＡとＳＤＨ伝送装置４Ａと非ＩＰ端末７ＡとがＲＰＲ伝送装置１Ａに対して順次接続されている。第２の伝送路５００Ｂには同様にレガシー収容Ｉ／Ｆ部３ＢとＳＤＨ伝送装置４Ｂと非ＩＰ端末７ＢとがＲＰＲ伝送装置１Ｂに対して順次接続されている。ＲＰＲ伝送装置１Ａ、１Ｂ、１Ｃは例えば、２．４Ｇｂｐｓあるいはそれ以上の伝送帯域を有するものである。この実施の形態１においてはレガシー収容Ｉ／Ｆ部３Ａ、３Ｂが、例えばカード形体にて形成されておりＳＤＨ伝送装置４Ａ、４Ｂに収容されて一体にて成る例を図示している。
【００１０】
よって、レガシー収容Ｉ／Ｆ部３Ａ、３ＢとＳＤＨ伝送装置４Ａ、４Ｂとの接続は基板にて電気的に接続されている。尚、レガシー収容Ｉ／Ｆ部３Ａ、３Ｂと、ＳＤＨ伝送装置４Ａ、４Ｂとを別々の装置にて形成する構成も考えられ、その場合は、レガシー収容Ｉ／Ｆ部３Ａ、３ＢとＳＤＨ伝送装置４Ａ、４Ｂとの接続はメタル配線にて電気的に接続して対応することができることは言うまでもない。そして、レガシー収容Ｉ／Ｆ部３Ａ、３ＢはＲＰＲ伝送装置１Ａ、１Ｂと光ファイバ５Ａ、５Ｂを介してそれぞれ接続されている。この光ファイバ５Ａ、５Ｂの通信方式は１０００ＢＡＳＥ−ＳＸ（ＩＥＥＥ８０２．３Ｚ）を用いる場合を想定しているが、ギガビットイーサネット（登録商標）の方式であれば他の形式でもよいことは言うまでもない。非ＩＰ端末７Ａ、７Ｂは例えば非常電話やトラフィックカウンタ等のＩＰを有していない端末であり、ＳＤＨ伝送装置４Ａ、４Ｂと接続されている。網同期クロック供給装置８はネットワーク全体の網同期の基準となるクロックを生成するものであり、少なくとも１式は備えている必要がある。ＲＰＲ伝送装置１Ａ、１Ｂ、１ＣにつながるＬＡＮ１０は、例えばコンピュータ等のＩＰ端末９を通信回線で接続して通信網を構成している。
【００１１】
図２において、光／電気変換部１０１は、ＲＰＲ伝送装置１Ｂから光信号（ＭＡＣフレーム）を受信すると、その信号を電気信号（ＭＡＣフレーム）に変換する一方、ギガビットイーサネット（登録商標）ＳｅｒＤｅｓ（Ｓｅｒｉａｌｉｚｅｒ／Ｄｅｓｅｒｉａｌｉｚｅｒ）１０２により生成された電気信号（ＭＡＣフレーム）を光信号（ＭＡＣフレーム）に変換する。ギガビットイーサネット（登録商標）ＳｅｒＤｅｓ１０２は、光／電気変換部１０１から受信したシリアルの電気信号（ＭＡＣフレーム）を、４ビットのパラレルデータに変換する一方、後述する時分割多重データ抽出回路１０７により生成された４ビットのパラレル信号を、シリアルデータに変換するものである。ＩＰヘッダ／ＭＡＣヘッダ生成部１０４は、ＭＡＣフレームの固定情報を時分割多重データパケット化回路（ＭＡＣフレーム化回路）１０３に送信する。時分割多重データ分割回路１０５は、ＳＤＨ伝送装置内部時分割多重データバスから受信した時分割多重データを、設定内容（ＭＡＣフレームのユーザデータ長Ｎ（＝４６〜１５００）の固有値）に応じて等分する（２４３０をＮで割って小数点以下を切り上げた整数分で分割する。例えば、Ｎ＝１５００とすると２４３０／１５００＝１．６２なので、２分割して伝送することとなる。後述する図４が２分割された場合を示している）。時分割多重データ抽出回路１０７は、ＭＡＣフレームからＳＤＨデータを抽出する。時分割多重データ組立回路１０８は、分割されたＳＤＨデータを時分割多重データに再組立を行う。揺らぎ吸収バッファ１１０はＭＡＣフレームの最大遅延時間と最小遅延時間の差分時間の大きさの揺らぎを吸収するためのバッファである。
【００１２】
図３において、ＳＤＨデータ３００はＭＡＣフレームのユーザ領域に時分割多重データを多重する領域を有する。図４において、ＳＴＭ−１ＳＤＨフレーム４００は、分割フレーム４００Ａ、４００Ｂのように２分割されたものである。図５において、光／電気変換部２００Ａ、２００Ｂは、レガシー収容Ｉ／Ｆ部３Ａより受信した光信号（ＭＡＣフレーム）を電気信号（ＭＡＣフレーム）に変換する一方、Ｌ２／Ｌ３スイッチ２０１より生成された電気信号（ＭＡＣフレーム）を光信号（ＭＡＣフレーム）に変換する。ＰＨＹ２０６は、Ｌ２／Ｌ３スイッチ２０１から受信したデータを、接続されているＩＰ端末９に応じて符号化方式を変換する。Ｌ２／Ｌ３スイッチ２０１は、ＰＨＹ２０６および光／電気変換部２００Ａ、２００ＢおよびＳｅｒＤｅｓ２０２からＭＡＣフレームを受信すると、受信したＭＡＣフレームからレイヤーを参照して、ＭＡＣアドレスもしくは宛先アドレスにて、あらかじめ設定されたルーティングテーブルを基にスイッチを行う。ＳｅｒＤｅｓ２０２は、Ｌ２／Ｌ３スイッチ２０１から受信したシリアルデータをパラレルデータに変換する一方、リングアクセス制御部２０３から受信したシリアルデータをパラレルデータに変換する。尚、ＭＡＣフレームのユーザ領域が、４６〜１５００バイトであることはＩＥＥＥ８０２．３で規格化されている。従って、１５００バイト以下は規格に準拠したものとなる。
【００１３】
リングアクセス制御部２０３は、ＳＴＭ−１６ＳＤＨフレーマ２０４Ａ、２０４ＢのペイロードにＭＡＣフレームを多重し、データを多重するポートを判定し、ＳＴＭ−１６ＳＤＨフレーマ部２０４Ａ、２０４Ｂに送信する一方、ＳＴＭ−１６ＳＤＨフレーマ２０４Ａ、２０４Ｂにより生成されたＳＴＭ−１６ＳＤＨフレームからＭＡＣフレームを抽出し、データを分離するポートを判定する。ＳＴＭ−１６ＳＤＨフレーマ部２０４Ａ、２０４Ｂは、リングアクセス制御部２０３により生成された４個のペイロードに、ＳＯＨ（セクションオーバヘッド部）を付加してＳＴＭ−１６ＳＤＨフレームを生成するとともに、光／電気変換部２０５Ａ、２０５Ｂにより電気信号に変換されたＳＴＭ−１フレームからＳＯＨを除去してペイロードを抽出し、４個のＳＴＭ−４フレームに分割する。光／電気変換部２０５Ａ、２０５Ｂは、ＳＴＭ−１６ＳＤＨフレーマ部２０４Ａ、２０４Ｂにより生成された電気信号（ＳＴＭ−１６ＳＤＨフレーム）を、光信号（ＳＴＭ−１６ＳＤＨフレーム）に変換して他のＲＰＲ伝送装置１Ｂ、１Ｃに送信するとともに、他のＲＰＲ伝送装置１Ｂ、１Ｃから受信した光信号（ＳＴＭ−１６ＳＤＨフレーム）を電気信号（ＳＴＭ−１６ＳＤＨフレーム）に変換する。また光／電気変換部２０５Ａが接続されるポートをＥａｓｔポート、光／電気変換部２０５Ｂが接続されるポートをＷｅｓｔポートとする。
【００１４】
次に上記のように構成された実施の形態１におけるディジタル伝送システムの動作について説明する。初期設定として、ＳＤＨ伝送装置４Ａは例えば、フレーム方式をＳＴＭ−１、伝送速度を１５５．５２Ｍｂｐｓとし、ＲＰＲ伝送装置１Ａの光／電気変換部２００Ａと、レガシー収容Ｉ／Ｆ部３Ａの光／電気変換部１０１が光ファイバ５Ａにて接続され、ＲＰＲ伝送装置１Ｂの光／電気変換部２００Ａとレガシー収容Ｉ／Ｆ部３Ｂの光／電気変換部１０１も光ファイバ５Ｂにて接続されている。そして、非ＩＰ端末７Ａと非ＩＰ端末７Ｂとが対向通信する。非ＩＰ端末７Ａの通信データはＳＤＨ伝送装置４Ａにて時分割多重データ上（ＳＤＨフレーム）に多重化され、レガシー収容Ｉ／Ｆ部３Ａにデータバス経由で送信され、レガシー収容Ｉ／Ｆ部３Ａの時分割多重データ分割回路１０５は、図４に示すようにＳＴＭ−１ＳＤＨフレーム４００を分割フレーム４００Ａ、４００Ｂを等分化して分割する。次に、時分割多重データパッケット化回路１０３は、ＩＰヘッダ／ＭＡＣヘッダ生成部１０４にて生成された図３に示すＭＡＣフレームのＳＤＨデータ３００に、時分割多重データ分割回路１０５にて分割された分割フレーム４００Ａ、４００Ｂを多重し４ビットのパラレルデータとして、ギガイーサネット（登録商標）ＳｅｒＤｅｓ１０２に送信する。ギガイーサネット（登録商標）ＳｅｒＤｅｓ１０２はこの４ビットのパラレルデータをシリアルデータに変換する。このようにシリアルデータに変換されたＭＡＣフレームは、光／電気変換部１０１にて光信号に変換され、ＲＰＲ伝送装置１Ａに送信される。
【００１５】
次に、ＲＰＲ伝送装置１Ａの光／電気変換部２００Ａにて、ＭＡＣフレームを光信号から電気信号に変換し、Ｌ２／Ｌ３スイッチ２０１へ送信する。次に、Ｌ２／Ｌ３スイッチ２０１はこのＭＡＣフレームから宛先アドレスを参照し、ルーティングテーブルの設定に従いスイッチを行う。ここではＳｅｒＤｅｓ２０２に送信すると設定する。ＳｅｒＤｅｓ２０２はＬ２／Ｌ３スイッチ２０１より受信したシリアルデータをパラレルデータに変換する。次に、リングアクセス制御部２０３はＳＴＭ−１６フレームのペイロードに多重し、ＳＴＭ−１６ＳＤＨフレーマ部２０４ＡはＳＯＨを付加してＳＴＭ−１６ＳＤＨフレームを生成する。次に光変換部２０５Ａは、ＳＴＭ−１６ＳＤＨフレームを光信号に変換しＲＰＲネットワーク伝送路２ＡにてＲＰＲ伝送装置１Ｂに送信する。
【００１６】
次にＲＰＲ伝送装置１Ｂの光／電気変換部２０５Ｂは、ＲＰＲ伝送装置１Ａの送信した光信号（ＳＴＭ−１６ＳＤＨフレーム）を受信すると、電気信号（ＳＴＭ−１６ＳＤＨフレーム）に変換し、ＳＴＭ−１６ＳＤＨフレーマ部２０４Ｂに送信し、ＳＴＭ１６ＳＤＨフレームからＳＯＨを除去し、ペイロードを抽出する。次にリングアクセス制御部２０３は、このペイロードを受信すると、ペイロードからＭＡＣフレームを抽出してＳｅｒＤｅｓ２０２に送信し、ＳｅｒＤｅｓ２０２は受信データをシリアルデータに変換して、Ｌ２／Ｌ３スイッチ２０１に送信する。次に、Ｌ２／Ｌ３スイッチ２０１は受信したＭＡＣフレームの宛先アドレスを参照し、レガシー収容Ｉ／Ｆ部３Ｂに接続されている光／電気変換部２００Ａに送信する。次に、光／電気変換部２００Ａは受信した電気信号（ＭＡＣフレーム）を光信号（ＭＡＣフレーム）に変換し、レガシー収容Ｉ／Ｆ部３Ｂに送信する。そしてレガシー収容Ｉ／Ｆ部３Ｂの光／電気変換部１０１はその光信号を受信し電気信号に変換する。
【００１７】
次に、光／電気変換部１０１が電気信号に変換すると、時分割多重データ抽出回路１０７は電気信号に変換されたＭＡＣフレームからＳＤＨデータを抽出する。そして、揺らぎ吸収バッファ１１０は時分割多重データ抽出回路１０７にて抽出したデータを一旦蓄積し、ＭＡＣフレームの最大遅延時間と最小遅延時間による揺らぎを吸収する。次に、時分割多重データ組立回路１０８は分割された時分割多重データの再組立を行い、ＳＤＨ伝送装置内の時分割データバスに送信される。そして、ＳＤＨ伝送装置４Ｂにて非ＩＰ端末７Ａの通信データは分離され、非ＩＰ端末７Ｂにて受信され、非ＩＰ端末７Ａ、７Ｂ間での通信が行われる。
【００１８】
図１に示すように、例えばＲＰＲ伝送装置１Ｃは、網同期クロック供給装置８よりネットワークの基準クロックを受信し同期をとる。次に、レガシー収容Ｉ／Ｆ部３はＲＰＲ伝送装置１Ｃよりクロック情報を受け取り、このクロックに同期して動作し、ＲＰＲネットワーク２および第１、第２の伝送路５００Ａ、５００Ｂのレガシー収容Ｉ／Ｆ部３Ａ、３Ｂ、ＳＤＨ伝送装置４Ａ、４Ｂのすべてで網同期が実現する。尚、この実施の形態１では、第１、第２の伝送路５００Ａ、５００Ｂを設けた例を示したが、必ずしも２系統でなく、６４系統、１２８系統等、多数の系統を設けたものであってもよい。またこのことは、後述する他の実施の形態に関しても同様であるためその説明は適宜省略する。
【００１９】
上記のように構成された実施の形態１によれば、ＳＤＨ伝送装置にレガシー収容Ｉ／Ｆ部を収容しているので、時分割多重データ（ここではＳＴＭ−１ＳＤＨフレーム）をＭＡＣフレーム化することができて、ＩＰネットワーク網であるＲＰＲネットワークに、従来の場合の拡張Ｉ／Ｆ部のように変換部を別に設けなくても、既存のＳＤＨ伝送装置を直接収容することができ、非ＩＰ端末間での通信が可能となる。さらに、ＲＰＲ伝送装置とＳＤＨ伝送装置との間の光伝送路が１箇所だけでＲＰＲ伝送装置とＳＤＨ伝送装置との間を接続可能にすることができる。またクロック同期をとっているので、ＲＰＲネットワークとレガシー収容Ｉ／Ｆ部、ＳＤＨ伝送装置が同期し、ネットワーク全体で網同期を形成することが可能となる。
【００２０】
実施の形態２．
上記実施の形態１では、１つのＲＰＲ伝送装置に対してレガシー収容Ｉ／Ｆ部およびＳＤＨ伝送装置を１ポートずつ接続した例について述べた。この実施の形態２では、ポートを２重化した場合について説明する。図６はこの発明の実施の形態２によるディジタル伝送システムのシステム構成を示す図、図７は図６のディジタル伝送システムにおけるＭＡＣフレームにＶＬＡＮタグを追加した図である。図６において、上記実施の形態１と同様の部分は同一符号を付して説明を省略する。第１、第２の伝送路５００Ｃ、５００Ｄに設けられたレガシー収容Ｉ／Ｆ部３Ａ、３Ｂ、３Ｃ、３Ｄは、ＲＰＲ伝送装置１Ａ、１Ｂと光ファイバ５Ａ、５Ｂ、５Ｃ、５Ｄを用いて２重化接続される。ＳＤＨ伝送装置４Ａ、４Ｂにはレガシー収容Ｉ／Ｆ部３Ａ、３Ｂ、３Ｃ、３Ｄが実装されそれぞれ２重化されている。ＳＤＨ伝送装置４Ａには非ＩＰ端末７Ａ、７Ｃが、ＳＤＨ伝送装置４Ｂには非ＩＰ端末７Ｂが接続されている。レガシー収容Ｉ／Ｆ部３Ａ、３Ｂ、３Ｃ、３Ｄの内部構成は上記実施の形態１で示した図２と同様であるので説明を省略する。図７において、ＶＬＡＮタグ３０１は４バイトからなり、２バイトＴＹＰＥ３０１Ａとタグ制御情報３０１Ｂより構成され、タグ制御情報３０１Ｂに含まれるＶＬＡＮのＩＤ番号のＶＩＤ３０１Ｃを有する。
【００２１】
次に上記のように構成された実施の形態２のディジタル伝送システムの動作について上記実施の形態１にて示した図も交えて説明する。例えば、非ＩＰ端末７Ａと非ＩＰ端末７Ｂが対向通信されている場合を考える。非ＩＰ端末７Ａの通信データは、ＳＤＨ伝送装置４Ａにて２重化され、レガシー収容Ｉ／Ｆ部３Ａ、３Ｂに送信される。そして、レガシー収容Ｉ／Ｆ部３Ａ、３ＢはそれぞれＩＰヘッダ／ＭＡＣヘッダ生成部１０４にてＭＡＣフレームを生成する時に、ＶＬＡＮタグ３０１を付加する。この時ＶＬＡＮタグ３０１のＶＩＤ３０１Ｃの値は、レガシー収容Ｉ／Ｆ部３Ａ、３Ｂそれぞれ別の値を付加し、かつネットワーク全体で唯一の値とする。そして、時分割多重データパケット化回路１０３にてＭＡＣフレーム化され、ギガイーサネット（登録商標）ＳｅｒＤｅｓｌ０２にてシリアルデータに変換された電気信号（ＭＡＣフレーム）は光／電気変換部１０１にて変換された光信号（ＭＡＣフレーム）となり、ＲＰＲ伝送装置１Ａに到達すると、図５に示したようにＲＰＲ伝送装置１Ａの光／電気変換部２００Ａと、２００Ｂによってそれぞれ電気信号（ＭＡＣフレーム）に変換される。
【００２２】
次にＬ２／Ｌ３スイッチ２０１は、このＭＡＣフレームの宛先アドレスによってＳｅｒＤｅｓ２０２にパラレルデータ（ＭＡＣフレーム）を送信し、ＳｅｒＤｅｓ２０２はシリアルデータ（ＭＡＣフレーム）に変換する。次にリングアクセス制御部２０３は、このＭＡＣフレームを受信すると、ＶＩＤ３０１Ｃの値によってレガシー収容Ｉ／Ｆ部３Ａから送信されたＳＤＨ通信データであることを認識する。次にリングアクセス制御部２０３は、ＳＤＨフレームをＭＡＣフレーム化したものについてはそれぞれＥａｓｔポート、Ｗｅｓｔポートから送信するようにし、同じポート上にはデータを送信しない。そして以下上記実施の形態１と同様の方法で、ＳＤＨ伝送装置４Ｂに通信データが到達するとＳＤＨ伝送装置４Ｂは２つの系から同じデータを受信し、系選択を行って正常な系のデータを用いて通信を行う。異常発生時には受信系を切り替えることにより通信を行う。
【００２３】
上記のように構成された実施の形態２によれば、上記実施の形態１と同様の効果を奏するのはもちろんこと、ＩＰヘッダ／ＭＡＣヘッダ生成部がＭＡＣフレームを生成するときＶＬＡＮタグを付加し、このＶＬＡＮタグによってＳＤＨフレームがＭＡＣフレーム化されたものであることを認識し、Ｅａｓｔ、Ｗｅｓｔの両方のポートから送信する機能を有しているので、同じ経路に同じデータが偏ることを防止し、障害発生時の系切替時間を短縮することができる。
【００２４】
実施の形態３．
上記実施の形態２では、ＭＡＣフレームにＶＬＡＮタグ３０１を追加する場合について示したが、この実施の形態３では、実施の形態２で説明したＭＡＣフレームにＶＬＡＮタグに加え、シーケンスＮｏを付加する機能を追加した構成について述べる。図８は実施の形態３におけるディジタル伝送システムのレガシー収容Ｉ／Ｆ部の詳細を示したブロック図であり、上記実施の形態１の図２に示したレガシー収容Ｉ／Ｆ部に、シーケンスＮｏ生成部およびシーケンスＮｏチェック部を追加したブロック図、図９は実施の形態３におけるディジタル伝送システムのＭＡＣフレームを示した図であり、上記実施の形態２の図７に示したＭＡＣフレームにシーケンスＮｏを追加した図である。図８において、上記各実施の形態と同様の部分は同一符号を付して説明を省略する。シーケンスＮｏ生成部１１１は、時分割多重データ分割回路１０５にて分割されたＳＤＨフレームにシーケンスＮｏを付加する。シーケンスＮｏチェック部１１２はＳＤＨデータ抽出部１０７にて抽出されたＳＤＨデータに付加されているシーケンスＮｏをチェックする。図９において、分割されたＳＤＨフレームが先頭から何番目のフレームであるかを示すシーケンスＮｏ３０２と、宛先アドレス（ＤＡ）からシーケンスＮｏまでの１９バイトを演算範囲としたチェックサム３０３とを有する。
【００２５】
次に上記のように構成された実施の形態３のディジタル伝送システムの動作について上記各実施の形態にて示した図も交えて説明する。まず、上記実施の形態２と同様に例えば、非ＩＰ端末７Ａと非ＩＰ端末７Ｂが対向通信されている場合を考える。非ＩＰ端末７Ａの通信データは、ＳＤＨ伝送装置４Ａにて２重化され、レガシー収容Ｉ／Ｆ部３Ａ、３Ｃに送信される。レガシー収容Ｉ／Ｆ部３Ａ、３ＣはそれぞれシーケンスＮｏ生成部１１１にて、時分割多重データ分割回路１０５にて分割されたＳＤＨフレームを受信すると、分割数に応じて先頭から何番目のフレームであるかを示すシーケンスＮｏ３０２を付加する。たとえば、２分割の場合には最初のフレームに１を付加し、次のフレームに２を付加する。次に、時分割多重データパケット化回路１０３にてＭＡＣフレーム化され、ギガイーサネット（登録商標）ＳｅｒＤｅｓ１０２にてシリアルデータに変換された電気信号（ＭＡＣフレーム）は光／電気変換部１０１にて変換された光信号（ＭＡＣフレーム）となり、ＲＰＲ伝送装置１Ａに到達すると、図５に示したように、ＲＰＲ伝送装置１Ａの光／電気変換部２００Ａと２００Ｂによってそれぞれ電気信号（ＭＡＣフレーム）に変換される。
【００２６】
次にＬ２／Ｌ３スイッチ２０１は、このＭＡＣフレームの宛先アドレスによってＳｅｒＤｅｓ２０２にパラレルデータ（ＭＡＣフレーム）を送信し、ＳｅｒＤｅｓ２０２はシリアルデータ（ＭＡＣフレーム）に変換する。次にリングアクセス制御部２０３は、ＳＴＭ−１６フレームのペイロードに多重し、ＳＴＭ−１６ＳＤＨフレーマ部２０４ＡはＳＯＨを付加してＳＴＭ−１６ＳＤＨフレームを生成する。次に光／電気変換部２０５Ａは、ＳＴＭ−１６ＳＤＨフレームを光信号に変換しＲＰＲネットワーク伝送路２にてＲＰＲ伝送装置１Ｂに送信する。そしてＲＰＲ伝送装置１Ｂの光／電気変換部２０５Ｂは、ＲＰＲ伝送装置１Ａの送信した光信号（ＳＴＭ−１６ＳＤＨフレーム）を受信すると、電気信号（ＳＴＭ−１６ＳＤＨフレーム）に変換し、ＳＴＭ−１６ＳＤＨフレーマ部２０４Ｂに送信され、ＳＴＭ−１６ＳＤＨフレームからＳＯＨを除去し、ペイロードを抽出する。次に、リングアクセス制御部２０３はこのペイロードを受信すると、ペイロードからＭＡＣフレームを抽出し、ＳｅｒＤｅｓ２０２に送信し、ＳｅｒＤｅｓ２０２は受信データをシリアルデータに変換して、Ｌ２／Ｌ３スイッチ２０１に送信する。
【００２７】
次にＬ２／Ｌ３スイッチ２０１は、受信したＭＡＣフレームの宛先アドレスを参照し、レガシー収容Ｉ／Ｆ部３Ｂの接続されている光／電気変換部２００Ａに送信する。次に光／電気変換部２００Ａは、受信した電気信号（ＭＡＣフレーム）を光信号（ＭＡＣフレーム）に変換し、レガシー収容Ｉ／Ｆ部３Ｂ、３Ｄに送信する。レガシー収容Ｉ／Ｆ部３Ａ、３Ｃのデータはそれぞれ３Ｂ、３Ｄに送信される。次にレガシー収容Ｉ／Ｆ部３Ｂ、３ＤのシーケンスＮｏチェック部１１２は、シーケンスＮｏの付加されたＳＤＨフレームの分割された一部を受信すると、シーケンスＮｏをチェックし、フレームに抜けがないことを確認する。そしてシーケンスＮｏをチェックした結果、エラーが検出された場合は、ＳＤＨフレーム組立回路１０８への送信データをＡｌｌ”１”またはＡｌｌ”０”にする。そして、ＳＤＨ伝送装置４ＢはＡｌｌ”１”またはＡ１１”０”のデータを受信した場合、データが異常であることを検出し、受信系を切り替える。
【００２８】
上記のように構成された実施の形態３によれば、上記各実施の形態と同様の効果を奏するのはもちろんこと、ＩＰヘッダ／ＭＡＣヘッダ生成部がＭＡＣフレームを生成するとき、シーケンスＮｏを付加するとともに、シーケンスＮｏをチェックする機能を追加したので、フレーム抜けを検出することができ、ＳＤＨフレーム組立時に誤ったフレームを生成してしまうのを防ぐことができる。
【００２９】
実施の形態４．
上記実施の形態２では、実施の形態２では、ＭＡＣフレームにＶＬＡＮタグを追加する場合について述べたが、本実施の形態４では、上記実施の形態３で説明したＭＡＣフレームにおいて、ユーザデータが１５００バイト超のフレーム（ＩＥＥＥ８０２．３で規格化されている１５００バイトより大きいフレーム）が伝送可能な構成について述べる。図１０はこの発明の実施の形態１におけるディジタル伝送システムのレガシー収容Ｉ／Ｆ部の詳細な構成を示したブロック図で、例えば上記実施の形態１、２の図２で示したレガシー収容Ｉ／Ｆ部に時分割多重データ分割回路１０５、時分割多重データ組立回路１０８をそれぞれ内部バスＳＤＨフレーム変換部１１３、ＳＤＨフレーム内部バス変換部１１４に変更した図である。図１１は実施の形態４におけるディジタル伝送システムのＭＡＣフレームであり、上記実施の形態３の図９に示したＭＡＣフレームのユーザデータが２４３２バイトとなる例を示したものである。尚、本実施の形態４においてユーザデータを２４３２バイトに設定したのは、ＳＴＭ−１フレームがヘッダ部も含めて２４３０バイトと規定されており、それにシーケンスＮｏとチェックサムとの２バイトを足して設定したものである。
【００３０】
図１０において、上記各実施の形態と同様の部分は同一符号を付して説明を省略する。シーケンスＮｏ生成部１１１は、内部バスＳＤＨフレーム変換部１１３から送信されるヘッダも含めたＳＤＨフレーム全体にシーケンスＮｏを付加する。シーケンスＮｏチェック部１１２はＳＤＨデータ抽出部１０７にて抽出されたＳＤＨデータに付加されているシーケンスＮｏをチェックし、ＳＤＨフレームとしてＳＤＨフレーム内部バス変換部１１４へ送信する。図１１において、ＳＤＨデータ３０００はＳＤＨフレームであるＳＴＭ−１フレームがヘッダも含めた２４３０バイト分である。シーケンスＮｏ３０２はＳＤＨフレームが先頭から何番目のフレームであるかを示し、チェックサム３０３は宛先アドレス（ＤＡ）からシーケンスＮｏ３０２までの１９バイトを演算範囲としたものである。
【００３１】
次に上記のように構成された実施の形態４のディジタル伝送システムの動作について上記各実施の形態にて示した図も交えて説明する。まず、上記各実施の形態２と同様に例えば、非ＩＰ端末７Ａと非ＩＰ端末７Ｂが対向通信されている場合を考える。非ＩＰ端末７Ａの通信データは、ＳＤＨ伝送装置４Ａにて２重化され、レガシー収容Ｉ／Ｆ部３Ａ、３Ｃに送信される。次に、レガシー収容Ｉ／Ｆ部３Ａ、３ＣはそれぞれシーケンスＮｏ生成部１１１にて、内部バスＳＤＨフレーム変換部１１３から２４３０バイトのＳＤＨフレームを受信すると、先頭から何番目のフレームであるかを示すシーケンスＮｏ３０２を付加する。次に、時分割多重データパケット化回路１０３にてユーザデータが２４３２バイトのＭＡＣフレームにフレーム化され、ギガイーサネット（登録商標）ＳｅｒＤｅｓ１０２にてシリアルデータに変換された電気信号（ＭＡＣフレーム）は光／電気変換部１０１にて変換された光信号（ＭＡＣフレーム）となり、ＲＰＲ伝送装置１Ａに到達すると、図５に示したように、ＲＰＲ伝送装置１Ａの光／電気変換部２００Ａと２００Ｂによってそれぞれ電気信号（ＭＡＣフレーム）に変換される。
【００３２】
そして、１５００バイト超のＭＡＣフレームユーザデータがスイッチ可能なＬ２／Ｌ３スイッチ２０１はこのＭＡＣフレームの宛先アドレスによってＳｅｒＤｅｓ２０２にパラレルデータ（ＭＡＣフレーム）を送信し、ＳｅｒＤｅｓ２０２はシリアルデータ（ＭＡＣフレーム）に変換する。次に、リングアクセス制御部２０３はＳＴＭ−１６フレームのペイロードに多重し、ＳＴＭ−１６ＳＤＨフレーマ部２０４ＡはＳＯＨを付加してＳＴＭ−１６ＳＤＨフレームを生成する。次に、光／電気変換部２０５Ａは、ＳＴＭ−１６ＳＤＨフレームを光信号に変換しＲＰＲネットワーク伝送路２にてＲＰＲ伝送装置１Ｂに送信する。次に、ＲＰＲ伝送装置１Ｂの光／電気変換部２０５Ｂは、ＲＰＲ伝送装置１Ａの送信した光信号（ＳＴＭ−１６ＳＤＨフレーム）を受信すると、電気信号（ＳＴＭ−１６ＳＤＨフレーム）に変換し、ＳＴＭ−１６ＳＤＨフレーマ部２０４Ｂに送信され、ＳＴＭ−１６ＳＤＨフレームからＳＯＨを除去し、ペイロードを抽出する。
【００３３】
そして、リングアクセス制御部２０３はこのペイロードを受信すると、ペイロードからＭＡＣフレームを抽出し、ＳｅｒＤｅｓ２０２に送信し、ＳｅｒＤｅｓ２０２は受信データをシリアルデータに変換して、Ｌ２／Ｌ３スイッチ２０１に送信する。次にＬ２／Ｌ３スイッチ２０１は、受信したＭＡＣフレームの宛先アドレスを参照し、レガシー収容Ｉ／Ｆ部３Ｂの接続されている光／電気変換部２００Ａに送信する。次に光／電気変換部２００Ａは、受信した電気信号（ＭＡＣフレーム）を光信号（ＭＡＣフレーム）に変換し、レガシー収容Ｉ／Ｆ部３Ｂ、３Ｄに送信する。次に、レガシー収容Ｉ／Ｆ部３Ａ、３Ｃのデータはそれぞれ３Ｂ、３Ｄに送信される。次に、レガシー収容Ｉ／Ｆ部３Ｂ、３ＤのシーケンスＮｏチェック部１１２は、シーケンスＮｏの付加されたＳＤＨフレームを受信すると、シーケンスＮｏをチェックし、フレームに抜けがないことを確認する。次に、シーケンスＮｏをチェックした結果、エラーが検出された場合は、ＳＤＨフレーム内部バス変換部１１４への送信データをＡｌｌ”１”またはＡｌｌ”０”にする。そして、ＳＤＨ伝送装置４ＢはＡｌｌ”１”またはＡ１１”０”のデータを受信した場合、データが異常であることを検出し、受信系を切り替える。
【００３４】
上記のように構成された実施の形態４によれば、上記各実施の形態と同様の効果を奏するのはもちろんこと、ＳＤＨフレームを全体を一度に送受信するため、分割・組立に必要な回路が不要となり回路構成が簡単になる。また、ＳＤＨフレーム全体を伝送することにより、ＳＤＨの障害検出機能やＳＤＨヘッダのユーザデータエリアも伝送することができ、ＳＤＨの障害検出機能を利用することが出来る。また、１５００バイト超のフレームとすることでＩＥＥＥ８０２．３の規格は満足していないものの、従来まで必要としていた１５００バイト超のフレームを分割するための分割回路などが不要になるという効果を奏する。また、上記実施の形態４においてはＳＴＭ−１フレーム（２４３０バイト）について述べたが、これに限られることはなく、ＳＴＭ−４フレーム（９７２０バイト）についても同様に行うことができることは言うまでもなく、同様の効果を奏することができる。
【００３５】
実施の形態５．
本実施の形態５では、レガシー収容Ｉ／Ｆ部に繋がるＲＰＲ伝送装置を２重化し、ＲＰＲ伝送装置が１台故障しても通信を確保する構成について述べる。図１２はこの発明の実施の形態５によるディジタル伝送システムのシステムの構成を示す図、図１３は図１２に示したディジタル伝送システムのレガシー収納Ｉ／Ｆ部の詳細な構成を示したブロック図である。図１２において、上記各実施の形態と同様部分は同一符号を付して説明を省略する。第１の伝送路５００Ｃに設けられたレガシー収容Ｉ／Ｆ部３Ｅ、３Ｆは、ＲＰＲ伝送装置１Ａ、１Ｄと光ファイバ５Ａ、５Ｃ、５Ｅ、５Ｆを用いて接続されており、ＲＰＲ伝送装置が２重化されている。ＳＤＨ伝送装置４Ａはレガシー収容Ｉ／Ｆ部Ｆ部３Ａ、３Ｃが実装され２重化されている。レガシー収容Ｉ／Ｆ部３Ｅは光ファイバ５Ａを用いてＲＰＲ伝送装置１Ｄと、光ファイバ５Ｆを用いてＲＰＲ伝送装置１Ａと接続されている。レガシー収容Ｉ／Ｆ部３Ｆは、光ファイバ５Ｃを用いてＲＰＲ伝送装置１Ａと接続され、光ファイバ５Ｅを用いてＲＰＲ伝送装置１Ｄと接続されている。ＳＤＨ伝送装置４Ａには非ＩＰ端末７Ａ、７Ｃが、ＳＤＨ伝送装置４Ｂには非ＩＰ端末７Ｂが接続されている。
【００３６】
図１３において、レガシー収容Ｉ／Ｆ部３Ｅ、３Ｆは、上記実施の形態３で説明した図１０の光／電気変換部１０１とギガイーサネット（登録商標）ＳｅｒＤｅｓ１０２が２重化されており、それぞれ光／電気変換部１０１Ａと光／電気変換部１０１Ｂ、ギガイーサネット（登録商標）ＳｅｒＤｅｓ１０２Ａとギガイーサネット（登録商標）ＳｅｒＤｅｓ１０２Ｂにそれぞれ分かれている。光／電気変換部１０１Ａとギガイーサネット（登録商標）ＳｅｒＤｅｓ１０２Ａが受信用、光／電気変換部１０１Ｂとギガイーサネット（登録商標）ＳｅｒＤｅｓ１０２Ｂが送信用を担っている。光／電気変換部１０１Ａの光送信側と光／電気変換部１０１Ｂ光受信側は、データの伝送路としては使用されないが、ギガイーサネット（登録商標）の接続確立のため使用される。
【００３７】
次に上記のように構成された実施の形態５のディジタル伝送システムの動作について上記各実施の形態にて示した図も交えて説明する。まず、上記各実施の形態と同様に例えば、非ＩＰ端末７Ａと非ＩＰ端末７Ｂが対向通信されている場合を考える。非ＩＰ端末７Ａの通信データは、ＳＤＨ伝送装置４Ａにて２重化され、レガシー収容Ｉ／Ｆ部３Ｅ、３Ｆに送信される。次に、レガシー収容Ｉ／Ｆ部３ＥはシーケンスＮｏ生成部１１１にて、内部バスＳＤＨフレーム変換部１１３から２４３０バイトのＳＤＨフレームを受信すると、先頭から何番目のフレームであるかを示すシーケンスＮｏ３０２を付加する。次に、時分割多重データパケット化回路１０３にてユーザデータが２４３２バイトのＭＡＣフレームにフレーム化され、ギガイーサネット（登録商標）ＳｅｒＤｅｓ１０２Ｂにてシリアルデータに変換された電気信号（ＭＡＣフレーム）は光／電気変換部１０１Ｂにて変換された光信号（ＭＡＣフレーム）となり、ＲＰＲ伝送装置１Ｄに到達すると、図５に示したように、ＲＰＲ伝送装置１Ｄの光／電気変換部２００Ａによって電気信号（ＭＡＣフレーム）に変換される。そして、１５００バイト超のＭＡＣフレームユーザデータがスイッチ可能なＬ２／Ｌ３スイッチ２０１はこのＭＡＣフレームの宛先アドレスによってＳｅｒＤｅｓ２０２にパラレルデータ（ＭＡＣフレーム）を送信し、ＳｅｒＤｅｓ２０２はシリアルデータ（ＭＡＣフレーム）に変換する。
【００３８】
次に、リングアクセス制御部２０３はＳＴＭ−１６フレームのペイロードに多重し、ＳＴＭ−１６ＳＤＨフレーマ部２０４ＡはＳＯＨを付加してＳＴＭ−１６ＳＤＨフレームを生成する。次に、光／電気変換部２０５Ａは、ＳＴＭ−１６ＳＤＨフレームを光信号に変換しＲＰＲネットワーク伝送路２にてＲＰＲ伝送装置１Ｂに送信する。次に、ＲＰＲ伝送装置１Ｂの光／電気変換部２０５Ｂは、ＲＰＲ伝送装置１Ｄの送信した光信号（ＳＴＭ−１６ＳＤＨフレーム）を受信すると、電気信号（ＳＴＭ−１６ＳＤＨフレーム）に変換し、ＳＴＭ−１６ＳＤＨフレーマ部２０４Ｂに送信され、ＳＴＭ−１６ＳＤＨフレームからＳＯＨを除去し、ペイロードを抽出する。次に、リングアクセス制御部２０３はこのペイロードを受信すると、ペイロードからＭＡＣフレームを抽出し、ＳｅｒＤｅｓ２０２に送信し、ＳｅｒＤｅｓ２０２は受信データをシリアルデータに変換して、Ｌ２／Ｌ３スイッチ２０１に送信する。次に、Ｌ２／Ｌ３スイッチ２０１は、受信したＭＡＣフレームの宛先アドレスを参照し、レガシー収容Ｉ／Ｆ部３Ｂの接続されている光／電気変換部２００Ａに送信する。
【００３９】
次に光／電気変換部２００Ａは、受信した電気信号（ＭＡＣフレーム）を光信号（ＭＡＣフレーム）に変換し、レガシー収容Ｉ／Ｆ部３Ｂに送信する。次に、レガシー収容Ｉ／Ｆ部３Ｆも３Ｅと同様にシーケンスＮｏ生成部１１１にて、内部バスＳＤＨフレーム変換部１１３から２４３０バイトのＳＤＨフレームを受信すると、先頭から何番目のフレームであるかを示すシーケンスＮｏ３０２を付加する。次に、時分割多重データパケット化回路１０３にてユーザデータが２４３２バイトのＭＡＣフレームにフレーム化され、ギガイーサネット（登録商標）ＳｅｒＤｅｓ１０２Ｂにてシリアルデータに変換された電気信号（ＭＡＣフレーム）は光／電気変換部１０１Ｂにて変換された光信号（ＭＡＣフレーム）となり、ＲＰＲ伝送装置１Ａに到達すると、図５に示したように、ＲＰＲ伝送装置１Ａの光／電気変換部２００Ａによって電気信号（ＭＡＣフレーム）に変換される。そして、１５００バイト超のＭＡＣフレームユーザデータがスイッチ可能なＬ２／Ｌ３スイッチ２０１はこのＭＡＣフレームの宛先アドレスによってＳｅｒＤｅｓ２０２にパラレルデータ（ＭＡＣフレーム）を送信し、ＳｅｒＤｅｓ２０２はシリアルデータ（ＭＡＣフレーム）に変換する。次に、リングアクセス制御部２０３はＳＴＭ−１６フレームのペイロードに多重し、ＳＴＭ−１６ＳＤＨフレーマ部２０４ＡはＳＯＨを付加してＳＴＭ−１６ＳＤＨフレームを生成する。
【００４０】
次に光／電気変換部２０５Ａは、ＳＴＭ−１６ＳＤＨフレームを光信号に変換しＲＰＲネットワーク伝送路２にてＲＰＲ伝送装置１Ｂに送信する。次に、ＲＰＲ伝送装置１Ｂの光／電気変換部２０５Ｂは、ＲＰＲ伝送装置１Ａの送信した光信号（ＳＴＭ−１６ＳＤＨフレーム）を受信すると、電気信号（ＳＴＭ−１６ＳＤＨフレーム）に変換し、ＳＴＭ−１６ＳＤＨフレーマ部２０４Ｂに送信され、ＳＴＭ−１６ＳＤＨフレームからＳＯＨを除去し、ペイロードを抽出する。次に、リングアクセス制御部２０３はこのペイロードを受信すると、ペイロードからＭＡＣフレームを抽出し、ＳｅｒＤｅｓ２０２に送信し、ＳｅｒＤｅｓ２０２は受信データをシリアルデータに変換して、Ｌ２／Ｌ３スイッチ２０１に送信する。次にＬ２／Ｌ３スイッチ２０１は、受信したＭＡＣフレームの宛先アドレスを参照し、レガシー収容Ｉ／Ｆ部３Ｄの接続されている光／電気変換部２００Ａに送信する。光／電気変換部２００Ａは、受信した電気信号（ＭＡＣフレーム）を光信号（ＭＡＣフレーム）に変換し、レガシー収容Ｉ／Ｆ部３Ｄに送信する。そして、逆に非ＩＰ端末７Ｂからのデータは、上記場合とは逆の経路を通り、レガシー収容Ｉ／Ｆ部３Ｂから送信されるデータは、ＲＰＲ伝送装置１Ｂ、１Ａを経由してレガシー収容Ｉ／Ｆ部３Ｅにて受信され、非ＩＰ端末７Ａに伝送される。また、レガシー収容Ｉ／Ｆ部３Ｄから送信されるデータは、ＲＰＲ伝送装置１Ｂ、１Ｄを経由してレガシー収容Ｉ／Ｆ部３Ｆにて受信され、非ＩＰ端末７Ａに伝送される。
【００４１】
上記のように構成された実施の形態５によれば、上記各実施の形態と同様の効果を奏するのはもちろんこと、非ＩＰ端末の双方向の通信をすることにより、ＲＰＲ伝送装置のいずれかが故障して停止した場合でも非ＩＰ端末の間の通信は確保され、信頼性の高いシステムが構築可能であるという効果がある。尚、ここでは説明の便宜上、ＳＤＨ伝送装置４Ａに接続されるＲＰＲ伝送装置が２重化される構成を例に説明したが、もう一方の、ＳＤＨ伝送装置４Ｂに接続されるＲＰＲ伝送装置についても同様に２重化することが可能である。また、システムの重要性に応じて２重化、１重化を選択できることは言うまでもない。また、ここではレガシー収納Ｉ／Ｆ部およびＲＰＲ伝送装置のいずれも２重化する例を示したが、ＲＰＲ伝送装置のみを２重化すれば、ＲＰＲ伝送装置のいずれかが故障して停止した場合でも非ＩＰ端末の間の通信は確保され、信頼性の高いシステムが構築可能であるという効果があることはいうまでもない。
【図面の簡単な説明】
【００４２】
【図１】この発明の実施の形態１によるディジタル伝送システムのシステム構成を示した図である。
【図２】図１に示したディジタル伝送システムのレガシー収容Ｉ／Ｆ部の構成を示した図である。
【図３】図１に示したディジタル伝送システムのＭＡＣフレームの構成を示した図である。
【図４】図１に示したディジタル伝送システムのＳＤＨフレームの分割構成を示した図である。
【図５】図１に示したディジタル伝送システムのＲＰＲ伝送装置の構成を示した図である。
【図６】この発明の実施の形態２によるディジタル伝送システムのシステム構成を示した図である。
【図７】図６に示したディジタル伝送システムのＭＡＣフレームの構成を示した図である。
【図８】この発明の実施の形態３によるディジタル伝送システムのレガシー収容Ｉ／Ｆ部の構成を示した図である。
【図９】図８に示したディジタル伝送システムのＭＡＣフレームの構成を示した図である。
【図１０】この発明の実施の形態４によるディジタル伝送システムのレガシー収容Ｉ／Ｆ部の構成を示した図である。
【図１１】この発明の実施の形態４によるディジタル伝送システムのＭＡＣフレームの構成を示した図である。
【図１２】この発明の実施の形態２によるディジタル伝送システムのシステム構成を示した図である。
【図１３】図１２に示したディジタル伝送システムのレガシー収容Ｉ／Ｆ部の構成を示した図である。
【符号の説明】
【００４３】
１Ａ，１Ｂ，１Ｃ，１Ｄ  ＲＰＲ伝送装置、２  ＲＰＲネットワーク伝送路、
２Ａ，５Ａ，５Ｂ  光ファイバ、３Ａ，３Ｂ，３Ｃ，３Ｄ，  レガシー収納Ｉ／Ｆ部、
４Ａ，４Ｂ  ＳＤＨ伝送装置、７Ａ，７Ｂ，７Ｃ  非ＩＰ端末、
８  網同期クロック供給装置、１０３  時分割多重データパケット化回路、
１１１  シーケンスＮｏ生成部、１１２  シーケンスＮｏチェック部、
１１３  内部バスＳＤＨフレーム変換部、１１４  ＳＤＨフレーム内部バス変換、
３０１  ＶＬＡＮＴＡＧ、５００Ａ，５００Ｃ，５００Ｅ  第１の伝送路、
５００Ｂ，５００Ｄ  第２の伝送路。
【図１】
2007267291.tif 000003
【図２】
2007267291.tif 000004
【図３】
2007267291.tif 000005
【図４】
2007267291.tif 000006
【図５】
2007267291.tif 000007
【図６】
2007267291.tif 000008
【図７】
2007267291.tif 000009
【図８】
2007267291.tif 000010
【図９】
2007267291.tif 000011
【図１０】
2007267291.tif 000012
【図１１】
2007267291.tif 000013
【図１２】
2007267291.tif 000014
【図１３】
2007267291.tif 000015